(57)【要約】  同軸ケーブル１２の中心導体及び外側導体が夫々接続されるシグナルコンタクト部材２０及びグラウンドコンタクト部材２１が絶縁ハウジング部材２２により支持されて成り、グラウンドコンタクト部材２１が、相手方コネクタ装置のグラウンドコンタクト部に嵌合接続される環状嵌合部２５を有し、環状嵌合部２５にシグナルコンタクト部材２０の中心導体接続部を配するための開口部が設けられたもとで、グラウンドコンタクト部材２１のシェル部２７もしくは絶縁ハウジング部材２２に、グラウンド電位が与えられて環状嵌合部２５における開口部を部分的に塞ぐ導電部材３０が設けられる。
2020189221.tif 000002
【特許請求の範囲】
【請求項１】
同軸ケーブルの中心導体との接続がなされる中心導体接続部、及び、回路基板に装着された相手方コネクタ装置のシグナルコンタクト部に接触接続される接触接続部を有したシグナルコンタクト部材と、
相手方コネクタ装置のグラウンドコンタクト部に嵌合接続される環状嵌合部、及び、該環状嵌合部から屈曲可能に伸びて上記中心導体接続部に接続された中心導体を有した同軸ケーブルの外側導体との接続がなされるシェル部を有し、グラウンド電位が与えられるグラウンドコンタクト部材と、
上記シグナルコンタクト部材及び上記グラウンドコンタクト部材を相互絶縁状態をもって支持する絶縁ハウジング部材と、
を備えて構成され、
上記グラウンドコンタクト部材の環状嵌合部に、上記同軸ケーブルの中心導体が接続される上記シグナルコンタクト部材の中心導体接続部もしくは上記シグナルコンタクト部材の中心導体接続部に接続される上記同軸ケーブルの中心導体を配するための開口部が設けられたもとで、上記グラウンドコンタクト部材のシェル部もしくは上記絶縁ハウジング部材に、グラウンド電位が与えられるとともに上記環状嵌合部に設けられた上記開口部を部分的に塞ぐ導電部材が設けられたことを特徴とする同軸コネクタ装置。
【請求項２】
上記絶縁ハウジングが、上記グラウンドコンタクト部材の環状嵌合部及び上記導電部材により包囲される筒状部を有しており、上記シグナルコンタクト部材の接触接続部が上記筒状部内に配されることを特徴とする請求項１記載の同軸コネクタ装置。
【請求項３】
上記グラウンドコンタクト部材のシェル部が、上記シグナルコンタクト部材の中心導体接続部に接続された中心導体を有した同軸ケーブルに対する締め付けを行う締付部が設けられたものとされ、該締付部に、上記導電部材が一体的に形成されていることを特徴とする請求項１記載の同軸コネクタ装置。
【請求項４】
上記導電部材が、上記グラウンドコンタクト部材のシェル部とは別体に設けられ、上記絶縁ハウジング部材に固定されていることを特徴とする請求項１記載の同軸コネクタ装置。
【請求項５】
上記導電部材の一端部が、上記グラウンドコンタクト部材の環状嵌合部が上記相手方コネクタ装置のグラウンドコンタクト部に嵌合接続されたとき、該グラウンドコンタクト部に接触接続されることを特徴とする請求項３又は４記載の同軸コネクタ装置。
【請求項６】
導電性のシグナルコンタクト部材と、導電性のグラウンドコンタクト部材と、上記シグナルコンタクト部材を保持して上記グラウンドコンタクト部材の内部に収容される絶縁性のハウジング部材と、を備え、
上記シグナルコンタクト部材は、
同軸ケーブルの中心導体に接続される接続部と、
相手方コネクタ装置のシグナルコンタクト部に接触する接触部と、を有し、
上記グラウンドコンタクト部材は、
上記接触部を収容して上記相手方コネクタ装置のグラウンドコンタクト部に嵌合する環状嵌合部と、
上記環状嵌合部の外において、上記ハウジング部材の端部と上記同軸ケーブルの端部との少なくとも一部を収容するシェル部と、
少なくとも上記ハウジング部材の端部を上記シェル部内に保持する締付部と、
上記環状嵌合部の内部と上記シェル部の内部とを連通させるように上記環状嵌合部に設けられた開口部と、
上記開口部の少なくとも一部を塞ぎ、上記環状嵌合部と共に上記接触部を囲む第１導電部と、
上記第１導電部と上記締付部との間の少なくとも一部を塞ぐ第２導電部と、を有する同軸コネクタ装置。
【請求項７】
上記第１導電部及び上記第２導電部が上記締付部に固定されている、請求項６記載の同軸コネクタ装置。
【請求項８】
上記第１導電部及び上記第２導電部が上記ハウジング部材に固定され、上記第２導電部が締付部に接触する、請求項６記載の同軸コネクタ装置。
【請求項９】
上記第１導電部及び上記第２導電部が上記環状嵌合部に固定され、上記第２導電部が上記締付部に接触する、請求項６記載の同軸コネクタ装置。
【請求項１０】
上記第１導電部が上記環状嵌合部に固定され、
上記第２導電部が上記ハウジング部材に固定され、上記第１導電部と上記締付部とに接触する、請求項６記載の同軸コネクタ装置。
【請求項１１】
上記第１導電部が上記環状嵌合部に固定され、
上記第２導電部が上記締付部に固定され、上記第１導電部に接触する、請求項６記載の同軸コネクタ装置。
【発明の詳細な説明】
【技術分野】
【０００１】
本願の特許請求の範囲に記載された発明は、中心導体とそれを内部絶縁体を介して包囲する外側導体とが外部絶縁体により被覆されて成る同軸ケーブルの中心導体及び外側導体が夫々接続される、互いに絶縁されたシグナルコンタクト部材及びグラウンドコンタクト部材を備えて成り、他のコネクタ装置である相手方コネクタ装置に連結される同軸コネクタ装置に関する。
【背景技術】
【０００２】
複数の電気部品，電気装置あるいは電子機器間等における高周波信号の伝送には、外部ノイズの影響を受け難い信号伝送路を形成する、中心導体とそれを内部絶縁体を介して包囲する外部導体とが外部絶縁体により被覆されて成る同軸ケーブルが用いられることが多い。例えば、同軸ケーブルが高周波信号を扱う回路基板に接続されて、当該回路基板からその外部への同軸ケーブルを通じた高周波信号の伝送、あるいは、当該回路基板への外部からの高周波信号の同軸ケーブルを通じた伝送が行われる。【０００３】
同軸ケーブルが回路基板に接続される際には、同軸ケーブルの中心導体が接続されるシグナルコンタクト部材と同軸ケーブルの外部導体が接続されるグラウンドコンタクト部材とを備えた同軸コネクタ装置が同軸ケーブルの一端に装着され、その同軸コネクタ装置が、例えば、回路基板において扱われる高周波信号が供給されるシグナルコンタクト部とシグナルコンタクト部を包囲して配されてグラウンド電位が与えられる環状グラウンドコンタクト部を備えて回路基板に取り付けられた相手方コネクタ装置に機械的かつ電気的に連結される。このような同軸コネクタ装置が相手方コネクタ装置に機械的かつ電気的に連結される状態は、例えば、同軸コネクタ装置のグラウンドコンタクト部材が相手方コネクタ装置の環状グラウンドコンタクト部に嵌合接続されるもとで、同軸コネクタ装置のシグナルコンタクト部材が相手方コネクタ装置のシグナルコンタクト部に接触接続されることによりとられる。【０００４】
斯かる同軸コネクタ装置の相手方コネクタ装置との連結が行われるにあたっては、回路基板に取り付けられた相手方コネクタ装置が、例えば、それにおけるシグナルコンタクト部と環状グラウンドコンタクト部とを回路基板における部品等搭載面の上方に向かわせるものとされ、その相手方コネクタ装置に対して、同軸ケーブルの一端に装着された同軸コネクタ装置が、回路基板における部品等搭載面の上方からその部品等搭載面に向かう方向をもって係合せしめられて、同軸コネクタ装置のグラウンドコンタクト部材が相手方コネクタ装置の環状グラウンドコンタクト部に嵌合接続されるとともに、同軸コネクタ装置のシグナルコンタクト部材が相手方コネクタ装置のシグナルコンタクト部に接触接続される。従って、相手方コネクタ装置が取り付けられた回路基板上において、同軸コネクタ装置は、回路基板における部品等搭載面から突出するものとなる。【０００５】
上述のようにして、同軸ケーブルの一端に装着されて、回路基板に取り付けられた相手方コネクタ装置に連結される同軸コネクタ装置として、従来、例えば、特許文献１に示されるようなものが提案されている。【０００６】
特許文献１に開示されている同軸コネクタ装置（同軸コネクタ(10)) は、同軸ケーブル（ケーブル(C))の中心導体（芯線(C1)) が接続される中心導体接続部（結線部(24)）を有したシグナルコンタクト部材（端子(13)) と同軸ケーブルの外側導体（シールド線(C2)) との接続がなされるグラウンドコンタクト部材（外部導体(11)) とが、絶縁ハウジング部材（誘電体(12)) によって相互絶縁状態をもって保持されて構成されたものとされている。そして、斯かる同軸コネクタ装置が連結される相手方コネクタ装置（相手コネクタ(60)) は、回路基板における信号端子部に接続されたシグナルコンタクト部（中心導体(62)) とシグナルコンタクト部の接触接続部（接触部(62A))を包囲するグラウンドコンタクト部（外部導体(61)）とが、絶縁ハウジング部材（誘電体(63)) によって相互絶縁状態をもって保持されて構成されたものとされる。【０００７】
そして、同軸コネクタ装置のグラウンドコンタクト部材における環状嵌合部（嵌合筒状部(14)）は、金属板が湾曲せしめられて環状を成すものとして形成されていて、同軸ケーブルの中心導体が接続されるシグナルコンタクト部材の中心導体接続部を配するための開口部を形成すべく対向配置された一対の開放部(14A) を有している。そして、一対の開放部(14A) からは、同軸ケーブルの中心導体を挟んで相互対向する一対の腕部(15)が夫々伸びている。【０００８】
また、同軸コネクタ装置のグラウンドコンタクト部材は、環状嵌合部の一端から屈曲して伸びるシェル部（蓋部(16)) を有していて、シェル部には、中心導体がシグナルコンタクト部材の中心導体接続部に接続された同軸ケーブルに対する締付けを行う第１の締付部（囲繞部(17)) 及び第２の締付部（保持部(20)）が設けられており、そのうちの第１の締付部は、一対の腕部(15)をそれらの外側から包むようにして同軸ケーブルに対する締付けを行っている。それにより、中心導体がシグナルコンタクト部材の中心導体接続部に接続された同軸ケーブルが同軸コネクタ装置に固定される。【０００９】
さらに、同軸コネクタ装置の絶縁ハウジング部材は、グラウンドコンタクト部材における環状嵌合部の内側に配される本体部(21)を有しており、本体部(21)の中央部には透孔（孔部(21A))が形成されていて、その透孔内には、シグナルコンタクト部材における接触接続部（接触部(25)）が配されている。【００１０】
斯かるもとで、同軸コネクタ装置が相手方コネクタ装置に連結される際には、同軸コネクタ装置のグラウンドコンタクト部材における環状嵌合部が相手方コネクタ装置のグラウンドコンタクト部に嵌合接続されるとともに、同軸コネクタ装置のシグナルコンタクト部材における接触接続部が相手方コネクタ装置のシグナルコンタクト部に接触接続される。そして、同軸コネクタ装置のグラウンドコンタクト部材及び相手方コネクタ装置のグラウンドコンタクト部の夫々は、グラウンド電位が与えられた状態におかれる。
【先行技術文献】
【特許文献】
【００１１】
【特許文献１】特開２００５−１８３２１２号公報
【発明の概要】
【発明が解決しようとする課題】
【００１２】
上述の従来提案されている同軸コネクタ装置においては、それが相手方コネクタ装置に連結されたもとにおいて、グラウンドコンタクト部材における環状嵌合部が相手方コネクタ装置のグラウンドコンタクト部に嵌合接続された状態におかれたとき、中央部に形成された透孔内にシグナルコンタクト部材における接触接続部が配された絶縁ハウジング部材の本体部が、グラウンドコンタクト部材における環状嵌合部に形成された開口部及びその開口部とグラウンドコンタクト部材のシェル部に設けられた第１の締付部との間の隙間を透して、グラウンド電位が与えられた導電部材を介することなく、同軸コネクタ装置の外部に臨んでいる。そのため、従来提案されている同軸コネクタ装置は、環状嵌合部に形成された開口部及びその開口部とグラウンドコンタクト部材のシェル部に設けられた第１の締付部との間の隙間を通じて、絶縁ハウジング部材の本体部の内部に配されたシグナルコンタクト部材における接触接続部を通じる高周波信号が、同軸コネクタ装置の外部へと漏洩し、他の電子部品や電子機器等に対するノイズ妨害を生じることになるという不都合を伴っていることになる。【００１３】
斯かる点に鑑み、本願の特許請求の範囲に記載された発明は、同軸ケーブルの中心導体が接続されるシグナルコンタクト部材と、同軸ケーブルの外側導体が接続されるグラウンドコンタクト部材と、シグナルコンタクト部材とグラウンドコンタクト部材とを相互絶縁状態をもって支持する絶縁ハウジング部材と、を備えて構成されて相手方コネクタ装置に連結されるものとされ、グラウンドコンタクト部材が、相手方コネクタ装置のグラウンドコンタクト部に嵌合接続される環状嵌合部を有し、その環状嵌合部に、同軸ケーブルの中心導体が接続されるシグナルコンタクト部材の中心導体接続部もしくはシグナルコンタクト部材の中心導体接続部に接続される同軸ケーブルの中心導体を配するための開口部が設けられたもとにあっても、シグナルコンタクト部材を通じる高周波信号のグラウンドコンタクト部材の環状嵌合部に設けられた開口部を通じての外部への漏洩を効果的に軽減することができる同軸コネクタ装置を提供する。
【課題を解決するための手段】
【００１４】
本願の特許請求の範囲における請求項のいずれかに記載された発明に係る同軸コネクタ装置（以下、本願発明に係る同軸コネクタ装置という。）は、同軸ケーブルの中心導体との接続がなされる中心導体接続部、及び、回路基板に装着された相手方コネクタ装置のシグナルコンタクト部に接触接続される接触接続部を有したシグナルコンタクト部材と、相手方コネクタ装置のグラウンドコンタクト部に嵌合接続される環状嵌合部、及び、環状嵌合部から屈曲可能に伸びて、中心導体接続部に接続された中心導体を有した同軸ケーブルの外側導体との接続がなされるシェル部を有し、グラウンド電位が与えられるグラウンドコンタクト部材と、シグナルコンタクト部材及びグラウンドコンタクト部材を相互絶縁状態をもって支持する絶縁ハウジング部材とを備えて構成され、グラウンドコンタクト部材の環状嵌合部に、同軸ケーブルの中心導体が接続されるシグナルコンタクト部材の中心導体接続部もしくはシグナルコンタクト部材の中心導体接続部に接続される同軸ケーブルの中心導体を配するための開口部が設けられたもとで、グラウンドコンタクト部材のシェル部もしくは絶縁ハウジング部材に、グラウンド電位が与えられるとともに環状嵌合部に設けられた開口部を部分的に塞ぐ導電部材が設けられたことを特徴とするものとされる。【００１５】
このような本願発明に係る同軸コネクタ装置にあっては、グラウンド電位が与えられるグラウンドコンタクト部材の環状嵌合部に設けられた、同軸ケーブルの中心導体が接続されるシグナルコンタクト部材の中心導体接続部もしくはシグナルコンタクト部材の中心導体接続部に接続される同軸ケーブルの中心導体を配するための開口部を、部分的に塞ぐものとされた導電部材が、グラウンドコンタクト部材のシェル部もしくは絶縁ハウジング部材に設けられて、グラウンド電位が与えられた状態におかれる。それにより、本願発明に係る同軸コネクタ装置が回路基板に装着された相手方コネクタ装置に連結されて、シグナルコンタクト部材の接触接続部が、回路基板に装着された相手方コネクタ装置のシグナルコンタクト部に接触接続されるとともに、グラウンドコンタクト部材の環状嵌合部が、回路基板に装着された相手方コネクタ装置のグラウンドコンタクト部に嵌合接続されたもとにおいて、グラウンド電位が与えられた導電部材が、環状嵌合部に設けられた開口部を部分的に塞ぐものとされることになる。【００１６】
斯かる導電部材は、例えば、グラウンドコンタクト部材のシェル部が、シグナルコンタクト部材の中心導体接続部に接続された中心導体を有した同軸ケーブルに対する締め付けを行う締付部が設けられたものとされたもとで、当該締付部に一体的に形成されたもの、もしくは、グラウンドコンタクト部材のシェル部とは別体に設けられて、絶縁ハウジング部材に固定されたものとされる。
【発明の効果】
【００１７】
上述のような本願発明に係る同軸コネクタ装置にあっては、回路基板に装着された相手方コネクタ装置に連結されて、シグナルコンタクト部材の接触接続部が、回路基板に装着された相手方コネクタ装置のシグナルコンタクト部に接触接続されるとともに、グラウンド電位が与えられるグラウンドコンタクト部材の環状嵌合部が、回路基板に装着された相手方コネクタ装置のグラウンドコンタクト部に嵌合接続されたもとにおいて、グラウンド電位が与えられた導電部材が、環状嵌合部に設けられた開口部を部分的に塞ぐものとされるので、斯かる本願発明に係る同軸コネクタ装置によれば、シグナルコンタクト部材を通じる高周波信号のグラウンドコンタクト部材の環状嵌合部に設けられた開口部を通じての外部への漏洩を効果的に軽減することができることになる。
【図面の簡単な説明】
【００１８】
【図１】本願発明に係る同軸コネクタ装置の第１の例を示す斜視図である。
【図２】本願発明に係る同軸コネクタ装置の第１の例が同軸ケーブルの一端部に装着される過程を示す斜視図である。
【図３】本願発明に係る同軸コネクタ装置の第１の例が同軸ケーブルの一端部に装着された状態を示す上方側から見た斜視図である。
【図４】本願発明に係る同軸コネクタ装置の第１の例が同軸ケーブルの一端部に装着された状態を示す下方側から見た斜視図である。
【図５】本願発明に係る同軸コネクタ装置の第１の例が同軸ケーブルの一端部に装着された状態を示す平面図である。
【図６】図５におけるVI−VI線断面を示す断面図である。
【図７】本願発明に係る同軸コネクタ装置の第１の例が連結される相手方コネクタ装置の一例を、それが取り付けられた回路基板と共に示す斜視図である。
【図８】本願発明に係る同軸コネクタ装置の第１の例が、同軸ケーブルの一端部に装着されたもとで、回路基板に取り付けられた相手方コネクタ装置の一例に機械的かつ電気的に連結された状態を示す平面図である。
【図９】図８におけるIX−IX線断面を示す断面図である。
【図１０】本願発明に係る同軸コネクタ装置の第２の例を示す斜視図である。
【図１１】本願発明に係る同軸コネクタ装置の第２の例が備える絶縁ハウジング及び導電部材を示す斜視図である。
【図１２】本願発明に係る同軸コネクタ装置の第２の例が備える導電部材を示す下方側から見た斜視図である。
【図１３】本願発明に係る同軸コネクタ装置の第２の例が備える導電部材を示す上方側から見た斜視図である。
【図１４】本願発明に係る同軸コネクタ装置の第２の例が同軸ケーブルの一端部に装着される過程を示す斜視図である。
【図１５】本願発明に係る同軸コネクタ装置の第２の例が同軸ケーブルの一端部に装着された状態を示す上方側から見た斜視図である。
【図１６】本願発明に係る同軸コネクタ装置の第２の例が同軸ケーブルの一端部に装着された状態を示す下方側から見た斜視図である。
【図１７】本願発明に係る同軸コネクタ装置の第２の例が同軸ケーブルの一端部に装着された状態を示す平面図である。
【図１８】図１７における XVIII−XVIII 線断面を示す断面図である。
【図１９】本願発明に係る同軸コネクタ装置の第２の例が、同軸ケーブルの一端部に装着されたもとで、回路基板に取り付けられた相手方コネクタ装置の一例に連結された状態を示す平面図である。
【図２０】図１９におけるXX−XX線断面を示す断面図である。
【図２１】本願発明に係る同軸コネクタ装置の第３の例を示す斜視図である。
【図２２】図２１における絶縁ハウジングを省略した斜視図である。
【図２３】本願発明に係る同軸コネクタ装置の第３の例が同軸ケーブルの一端部に装着される過程を示す斜視図である。
【図２４】本願発明に係る同軸コネクタ装置の第３の例が同軸ケーブルの一端部に装着された状態を示す上方側から見た斜視図である。
【図２５】本願発明に係る同軸コネクタ装置の第３の例が同軸ケーブルの一端部に装着された状態を示す下方側から見た斜視図である。
【図２６】図２５における締付部の締付前の状態を示す斜視図である。
【図２７】本願発明に係る同軸コネクタ装置の第３の例が同軸ケーブルの一端部に装着された状態を示す平面図である。
【図２８】図２７におけるXXVIII−XXVIII線断面を示す断面図である。
【図２９】本願発明に係る同軸コネクタ装置の第３の例が、同軸ケーブルの一端部に装着されたもとで、回路基板に取り付けられた相手方コネクタ装置の一例に機械的かつ電気的に連結された状態を示す平面図である。
【図３０】図２９におけるXXX−XXX線断面を示す断面図である。
【図３１】本願発明に係る同軸コネクタ装置の第４の例を示す斜視図である。
【図３２】本願発明に係る同軸コネクタ装置の第４の例が同軸ケーブルの一端部に装着される過程を示す斜視図である。
【図３３】本願発明に係る同軸コネクタ装置の第４の例が同軸ケーブルの一端部に装着された状態を示す上方側から見た斜視図である。
【図３４】本願発明に係る同軸コネクタ装置の第４の例が同軸ケーブルの一端部に装着された状態を示す下方側から見た斜視図である。
【図３５】図３３におけるXXXV−XXXV線断面を示す断面図である。
【図３６】ハウジングを下方側から見た斜視図である。
【図３７】導電部材を上方側から見た斜視図である。
【図３８】本願発明に係る同軸コネクタ装置の第４の例が、同軸ケーブルの一端部に装着されたもとで、回路基板に取り付けられた相手方コネクタ装置の一例に機械的かつ電気的に連結された状態を示す断面図である。
【発明を実施するための形態】
【００１９】
本願発明を実施するための形態は、以下に述べられる本願発明についての実施例１、実施例２、実施例３及び実施例４をもって説明される。
〔実施例１〕
【００２０】
図１は、本願発明に係る同軸コネクタ装置の第１の例を成す同軸コネクタ装置１１を示す。図１に示される同軸コネクタ装置１１は、同軸ケーブルの一端部に装着されて用いられるものとされている。同軸コネクタ装置１１が一端部に装着される同軸ケーブルは、後述される図２に同軸ケーブル１２として示されており、中心導体１３と、中心導体１３を密着包囲する内部絶縁体１４と、内部絶縁体１４を密着包囲する外側導体１５と、外側導体１５を密着包囲する表皮絶縁体１６とを有している。斯かる同軸ケーブル１２における同軸コネクタ装置１１が装着される一端部は、表皮絶縁体１６が部分的に切除されて外側導体１５が露出するとともに、その外側導体１５及び内部絶縁体１４の夫々が部分的に切除されて中心導体１３が露出する状態におかれる。
【００２１】
斯かるもとで、同軸コネクタ装置１１は、主要構成要素として、弾性導電性材料により形成されて、同軸ケーブル１２の中心導体１３との電気的接続がなされるものとされたシグナルコンタクト部材２０と、弾性導電性材料により形成されて、同軸ケーブル１２の外側導体１５との電気的接続がなされるものとされたグラウンドコンタクト部材２１と、合成樹脂材等の絶縁材料により形成されて、シグナルコンタクト部材２０とグラウンドコンタクト部材２１とを相互絶縁状態をもって支持する絶縁ハウジング部材２２とを備えている。
【００２２】
絶縁ハウジング部材２２は、シグナルコンタクト部材２０を保持した筒状部２３、及び、筒状部２３から伸びて、シグナルコンタクト部材２０に接続される同軸ケーブル１２の中心導体１３をシグナルコンタクト部材２０を介して支持する中心導体支持部２４が設けられたものとされている。
【００２３】
グラウンドコンタクト部材２１は、絶縁ハウジング部材２２の筒状部２３を部分的に包囲する環状嵌合部２５を有している。環状嵌合部２５には、それにおける一対の相互対向する端部２５ａによって挟まれた開口部ＯＰ１が形成されており、一対の端部２５ａからは、絶縁ハウジング部材２２の中心導体支持部２４に沿って伸びる一対の腕部２６が夫々伸びていて、一対の腕部２６は、中心導体支持部２４を挟んで相互対向するものとされている。このような絶縁ハウジング部材２２の筒状部２３とそれを部分的に包囲するグラウンドコンタクト部材２１の環状嵌合部２５とは、同軸コネクタ装置１１における嵌合連結部を構成しており、同軸ケーブル１２の一端部に装着された同軸コネクタ装置１１は、斯かる嵌合連結部をもって、他のコネクタ装置である相手方コネクタ装置に嵌合連結される。その際、環状嵌合部２５は、相手方コネクタ装置のグラウンドコンタクト部に嵌合接続される。
【００２４】
また、グラウンドコンタクト部材２１は、環状嵌合部２５に加えて、環状嵌合部２５の一端から折曲可能に伸び、折り曲げられるとき、中心導体１３がシグナルコンタクト部材２０に接続された同軸ケーブル１２の外側導体１５との接続がなされることになるシェル部２７を有している。グラウンドコンタクト部材２１のシェル部２７は、環状嵌合部２５に対して折り曲げられていない直立位置と環状嵌合部２５に対して折り曲げられた屈曲位置とを選択的にとるものとされていて、図１においては、グラウンドコンタクト部材２１のシェル部２７が直立位置をとるものとされており、後述される図３〜図５においては、グラウンドコンタクト部材２１のシェル部２７が屈曲位置をとるものとされている。以下、シェル部２７が屈曲位置にある場合について説明を継続する。シェル部２７は、環状嵌合部２５の外（環状嵌合部２５の外周に沿う仮想円の外）に位置し、絶縁ハウジング部材２２の端部（中心導体支持部２４の端部）と同軸ケーブル１２の端部の少なくとも一部を収容する。環状嵌合部２５の上記開口部ＯＰ１（一対の端部２５ａによって挟まれた開口部）は、環状嵌合部２５の内部とシェル部２７の内部とを連通させる。シェル部２７は、環状嵌合部２５の外に張り出したベース板２７ａと、ベース板２７ａに対して起立した一対の側板２７ｂとを有する。一対の側板２７ｂの端部には、折り曲げられて絶縁ハウジング部材２２の端部と同軸ケーブル１２の端部とをシェル部２７内に保持する一対の締付部２７ｃが設けられている。例えば締付部２７ｃは、ベース板２７ａと協働して、絶縁ハウジング部材２２の端部と同軸ケーブル１２の端部とを保持する。具体的に、締付部２７ｃは、絶縁ハウジング部材２２の端部と同軸ケーブル１２の端部とをベース板２７ａとの間に挟む。各締付部２７ｃは、環状嵌合部２５から離れる方向に順に並ぶ第１の締付部２８及び第２の締付部２９を有する。締付部２８は、中心導体支持部２４と、同軸ケーブル１２の端部において露出した外側導体１５に対する締め付けを行う。特に図６に示されるように、締付部２９は、同軸ケーブル１２の端部において露出した外側導体１５に対する締め付けを行う。これらにより、グラウンドコンタクト部材２１が外側導体１５に接続される。
【００２５】
グラウンドコンタクト部材２１のシェル部２７に設けられた一対の第１の締付部２８には、各々の一端部から屈曲して伸びるものとされた一対の導電部材３０が、第１の締付部２８に一体的に形成されたものとして設けられている。これら一対の導電部材３０は、一対の第１の締付部２８の各々が折り曲げられて同軸ケーブル１２に対する締め付けを行う状態におかれるとき、相互近接して配されるものとされる（後述される図４に示される。）。
【００２６】
同軸コネクタ装置１１におけるシグナルコンタクト部材２０は、後述される図６に示されるように、絶縁ハウジング部材２２の中心導体支持部２４に支えられて配されて同軸ケーブル１２の中心導体１３との接続がなされる中心導体接続部３１と、中心導体接続部３１から伸びて絶縁ハウジング部材２２の筒状部２３内に配され、相手方コネクタ装置のシグナルコンタクト部に接触接続される接触接続部３２（接触部）（後述される図４に現れている。）とを有している。中心導体接続部３１は、絶縁ハウジング部材２２の中心導体支持部２４から、グラウンドコンタクト部材２１の環状嵌合部２５における一対の端部２５ａに挟まれて形成された開口部ＯＰ１を通じて、グラウンドコンタクト部材２１の環状嵌合部２５によって部分的に包囲された絶縁ハウジング部材２２の筒状部２３内へと伸びて配されており、グラウンドコンタクト部材２１の環状嵌合部２５における一対の端部２５ａに挟まれて形成された開口部ＯＰ１は、同軸ケーブル１２の中心導体１３が接続されるシグナルコンタクト部材２０の中心導体接続部３１を配するために形成されたものとなっている。
【００２７】
上述のような同軸コネクタ装置１１が、同軸ケーブル１２の一端部に装着されるに際しては、先ず、図２に示されるように、表皮絶縁体１６が部分的に切除されて外側導体１５が露出するとともにその外側導体１５及び内部絶縁体１４の夫々が部分的に切除されて中心導体１３が露出する状態におかれた一端部を有した同軸ケーブル１２の中心導体１３が、グラウンドコンタクト部材２１のシェル部２７が直立位置をとるもとにおいて、絶縁ハウジング部材２２の中心導体支持部２４に支えられて配されたシグナルコンタクト部材２０の中心導体接続部３１に載置される。そして、同軸ケーブル１２の中心導体１３は、例えば、超音波溶接や半田付け等によって、シグナルコンタクト部材２０の中心導体接続部３１に接続されて固定される。
【００２８】
その後、直立位置をとるグラウンドコンタクト部材２１のシェル部２７が、グラウンドコンタクト部材２１の環状嵌合部２５に対して折り曲げられて屈曲位置をとるものとされる。それにより、シェル部２７は、中心導体１３がシグナルコンタクト部材２０の中心導体接続部３１に接続された同軸ケーブル１２の外側導体１５に当接せしめられる。
【００２９】
さらにその後、屈曲位置をとるものとされたシェル部２７において、一対の第１の締付部２８の夫々が折り曲げられて、グラウンドコンタクト部材２１の環状嵌合部２５における一対の端部２５ａから夫々伸びる一対の腕部２６をそれらの外側から包むようにして一対の腕部２６に対する締付けを行うとともに、中心導体１３がシグナルコンタクト部材２０の中心導体接続部３１に接続された同軸ケーブル１２の外側導体１５に対する締付けを行うものとされ、また、一対の第２の締付部２９の夫々が折り曲げられて、中心導体１３がシグナルコンタクト部材２０の中心導体接続部３１に接続された同軸ケーブル１２の外側導体１５に対する締付けを行うものとされる。それにより、グラウンドコンタクト部材２１のシェル部２７が、中心導体１３がシグナルコンタクト部材２０の中心導体接続部３１に接続された同軸ケーブル１２の外側導体１５に接続されて固定される。その結果、図３，図４，図５及び図６に示されるように、同軸ケーブル１２の一端部に同軸コネクタ装置１１が装着された状態が堅固に維持されることになる。図３は、同軸コネクタ装置１１が同軸ケーブル１２の一端部に装着された状態を示す上方側から見た斜視図であり、図４は、同軸コネクタ装置１１が同軸ケーブル１２の一端部に装着された状態を示す下方側から見た斜視図であり、図５は、同軸コネクタ装置１１が同軸ケーブル１２の一端部に装着された状態を示す平面図であり、図６は、図５におけるVI−VI線断面を示す断面図である。
【００３０】
このとき、図４に示されるように、一対の第１の締付部２８にそれらの各々の一端部から屈曲して伸びるものとされて設けられた一対の導電部材３０が、相互近接したものとされて、グラウンドコンタクト部材２１の環状嵌合部２５における一対の端部２５ａに挟まれて形成された開口部ＯＰ１を、部分的に塞ぐ位置に配されるものとされる。それにより、内部にシグナルコンタクト部材２０の接触接続部３２が配された、絶縁ハウジング部材２２の筒状部２３が、グラウンドコンタクト部材２１の環状嵌合部２５と一対の導電部材３０とによって包囲された状態におかれることになる。各導電部材３０は、上記開口部ＯＰ１の少なくとも一部を塞ぎ、環状嵌合部２５と共に上記接触接続部３２を包囲する（筒状部２３を包囲する）第１導電部３０ａと、第１導電部３０ａから環状嵌合部２５の外方（環状嵌合部２５の中心軸から遠ざかる方向）に張り出して締付部２７ｃに接続される第２導電部３０ｂとを含む。第１導電部３０ａと第２導電部３０ｂとは、締付部２８に固定されている。例えば第１導電部３０ａと第２導電部３０ｂとは、一枚の板材から締付部２８と一体的に形成されている。
【００３１】
図７は、同軸コネクタ装置１１が連結される相手方コネクタ装置の一例を成す相手方コネクタ装置４０と、相手方コネクタ装置４０が装着された回路基板４１とを示す。相手方コネクタ装置４０は、回路基板４１における部品等搭載面４２上に固定されている。
【００３２】
相手方コネクタ装置４０は、導電材料により形成され、回路基板４１における部品等搭載面４２に立設されて、回路基板４１の部品等搭載面４２に設けられたシグナル端子（図示が省略されている。）に電気的に連結されたシグナルコンタクト部４３と、導電材料により環状体を成すものとして形成され、回路基板４１における部品等搭載面４２に、それからその外方に突出してシグナルコンタクト部４３を包囲する状態をもって固定されて、部品等搭載面４２に設けられたグラウンド電位部（図示が省略されている。）に電気的に連結されたグラウンドコンタクト部４４とを備えている。そして、グラウンドコンタクト部４４は、相手方コネクタ装置４０に連結される同軸コネクタ装置１１が備えるグラウンドコンタクト部材２１の環状嵌合部２５が嵌合接続されるものとされている。
【００３３】
図８及び図９は、図３，図４，図５及び図６に示される同軸ケーブル１２の一端部に装着された同軸コネクタ装置１１が、図７に示される相手方コネクタ装置４０に連結された状態を示す。図８及び図９に示されるような、同軸コネクタ装置１１が相手方コネクタ装置４０に連結された状態がとられる際には、同軸コネクタ装置１１におけるグラウンドコンタクト部材２１の環状嵌合部２５が相手方コネクタ装置４０のグラウンドコンタクト部４４に嵌合接続される。さらに、同軸コネクタ装置１１が備えるグラウンドコンタクト部材２１のシェル部２７における第１の締付部２８にそれと一体に設けられた導電部材３０が、相手方コネクタ装置４０のグラウンドコンタクト部４４に接触接続される。
【００３４】
このようにして、同軸ケーブル１２の一端部に装着された同軸コネクタ装置１１におけるグラウンドコンタクト部材２１の環状嵌合部２５が、相手方コネクタ装置４０のグラウンドコンタクト部４４に嵌合接続されるとともに、グラウンドコンタクト部材２１のシェル部２７における第１の締付部２８にそれと一体に設けられた導電部材３０が、相手方コネクタ装置４０のグラウンドコンタクト部４４に接触接続されたもとにあっては、図８におけるIX−IX線断面を示す図９に示されるように、同軸コネクタ装置１１における絶縁ハウジング部材２２により支持されて、その中心導体接続部３１に同軸ケーブル１２の中心導体１３が接続されたシグナルコンタクト部材２０における、絶縁ハウジング部材２２における筒状部２３の内部に配された接触接続部３２が、相手方コネクタ装置４０のシグナルコンタクト部４３に接触接続されたものとされる。それにより、同軸ケーブル１２の中心導体１３が、同軸コネクタ装置１１におけるシグナルコンタクト部材２０及び相手方コネクタ装置４０のシグナルコンタクト部４３を通じて、回路基板４１の部品等搭載面４２に設けられたシグナル端子に連結され、また、同軸ケーブル１２の外側導体１５が、同軸コネクタ装置１１におけるグラウンドコンタクト部材２１及び相手方コネクタ装置４０のグラウンドコンタクト部４４を通じて、回路基板４１に設けられたグラウンド電位部に連結された状態が得られる。
【００３５】
そして、このとき、同軸コネクタ装置１１におけるグラウンドコンタクト部材２１のシェル部２７における一対の第１の締付部２８にそれらの各々の一端部から屈曲して伸びるものとされて第１の締付部２８と一体的に設けられた一対の導電部材３０の第１導電部３０ａは、一対の第１の締付部２８及び相手方コネクタ装置４０のグラウンドコンタクト部４４を通じてグラウンド電位が与えられたもとで、相互近接したものとされて、グラウンドコンタクト部材２１の環状嵌合部２５における一対の端部２５ａに挟まれて形成された開口部ＯＰ１を部分的に塞ぐ位置に配されるものとされており、それにより、内部に同軸コネクタ装置１１におけるシグナルコンタクト部材２０の接触接続部３２が配された、同軸コネクタ装置１１における絶縁ハウジング部材２２の筒状部２３が、グラウンド電位が与えられた同軸コネクタ装置１１におけるグラウンドコンタクト部材２１の環状嵌合部２５と一対の導電部材３０とによって包囲された状態におかれることになる。その結果、同軸コネクタ装置１１にあっては、それにおけるシグナルコンタクト部材２０を通じる高周波信号のグラウンドコンタクト部材２１の環状嵌合部２５に設けられた開口部ＯＰ１を通じての外部への漏洩を、効果的に軽減することができることになる。さらに、環状嵌合部２５と締付部２７ｃとの間の少なくとも一部が導電部材３０の第２導電部３０ｂによって塞がれるので、環状嵌合部２５と締付部２７ｃとの間を通じての上記高周波信号の漏洩をも効果的に軽減することができることになる。
〔実施例２〕
【００３６】
図１０は、本願発明に係る同軸コネクタ装置の第２の例を成す同軸コネクタ装置５１を示す。同軸コネクタ装置５１も、同軸ケーブルの一端部に装着されて用いられるものとされており、同軸コネクタ装置５１が一端部に装着される同軸ケーブルは、前述の図２に示される同軸ケーブル１２と同様のものであって、図２に示されるように、同軸コネクタ装置５１が装着される一端部は、表皮絶縁体１６が部分的に切除されて外側導体１５が露出するとともに、その外側導体１５及び内部絶縁体１４の夫々が部分的に切除されて中心導体１３が露出する状態におかれる。
【００３７】
斯かるもとで、同軸コネクタ装置５１は、主要構成要素として、弾性導電性材料により形成されて、同軸ケーブル１２の中心導体１３との電気的接続がなされるものとされたシグナルコンタクト部材５２と、弾性導電性材料により形成されて、同軸ケーブル１２の外側導体１５との電気的接続がなされるものとされたグラウンドコンタクト部材５３、合成樹脂材等の絶縁材料により形成されて、シグナルコンタクト部材５２とグラウンドコンタクト部材５３とを相互絶縁状態をもって支持する絶縁ハウジング部材５４とを備えている。グラウンドコンタクト部材５３は、後述の導電部材５８を含む。導電部材５８は、グラウンドコンタクト部材５３の本体から分離した状態で形成される。
【００３８】
絶縁ハウジング部材５４は、図１１にも示されるように、シグナルコンタクト部材５２を保持した筒状部５５、及び、筒状部５５から伸びて、シグナルコンタクト部材５２に接続される同軸ケーブル１２の中心導体１３を支持する中心導体支持部５６が設けられたものとされている。そして、筒状部５５の一端からは、折曲可能とされて、折り曲げられたときシグナルコンタクト部材５２に押圧当接する状態をとる折曲当接部５７が伸びている。
【００３９】
図１１に示されるように、絶縁ハウジング部材５４にあっては、それにおける中心導体支持部５６の外面部に、弾性導電性材料により形成された導電部材５８が取り付けられている。導電部材５８は、図１２及び図１３に示されるように、例えば、金属板材に打抜き・屈曲加工が施されて形成されるものとされており、その一端部を成す弾性当接部５９を有している。そして、導電部材５８には一対の係合透孔６０が形成されていて、これらの係合透孔６０の夫々が絶縁ハウジング部材５４における中心導体支持部５６の外面部に設けられた突出係合部６１に係合せしめられて、導電部材５８が絶縁ハウジング部材５４における中心導体支持部５６の外面部に固定される。
【００４０】
同軸コネクタ装置５１におけるグラウンドコンタクト部材５３は、絶縁ハウジング部材５４の筒状部５５を部分的に包囲する環状嵌合部６５を有している。環状嵌合部６５には、それにおける一対の相互対向する端部６５ａによって挟まれた開口部ＯＰ２が形成されており、一対の端部６５ａからは、絶縁ハウジング部材５４の中心導体支持部５６に沿って伸びる一対の腕部６６が夫々伸びていて、一対の腕部６６は、中心導体支持部５６を挟んで相互対向するものとされている。このような絶縁ハウジング部材５４の筒状部５５とそれを部分的に包囲するグラウンドコンタクト部材５３の環状嵌合部６５とは、同軸コネクタ装置５１における嵌合連結部を構成しており、同軸ケーブル１２の一端部に装着された同軸コネクタ装置５１は、斯かる嵌合連結部をもって、相手方コネクタ装置に嵌合連結される。その際、環状嵌合部６５は、相手方コネクタ装置のグラウンドコンタクト部に嵌合接続される。
【００４１】
また、グラウンドコンタクト部材５３は、環状嵌合部６５に加えて、環状嵌合部６５の一端から折曲可能に伸び、折り曲げられるとき、中心導体１３がシグナルコンタクト部材５２に接続された同軸ケーブル１２の外側導体１５との接続がなされることになるシェル部６７を有している。グラウンドコンタクト部材５３のシェル部６７は、環状嵌合部６５に対して折り曲げられていない直立位置と環状嵌合部６５に対して折り曲げられた屈曲位置とを選択的にとるものとされていて、図１０においては、グラウンドコンタクト部材５３のシェル部６７が直立位置をとるものとされており、後述される図１５〜図１７においては、グラウンドコンタクト部材５３のシェル部６７が屈曲位置をとるものとされている。以下、シェル部６７が屈曲位置にある場合について説明を継続する。シェル部６７は、環状嵌合部６５の外（環状嵌合部６５の外周に沿う仮想円の外）に位置し、絶縁ハウジング部材５４の端部（中心導体支持部５６）と同軸ケーブル１２の端部とを収容する。環状嵌合部６５の上記開口部ＯＰ２（一対の端部６５ａによって挟まれた開口部）は、環状嵌合部６５の内部とシェル部６７の内部とを連通させる。シェル部６７は、環状嵌合部６５の外に張り出したベース板６７ａと、ベース板６７ａに対して起立した一対の側板６７ｂとを有する。一対の側板６７ｂの端部には、折り曲げられて絶縁ハウジング部材５４の端部と同軸ケーブル１２の端部とをシェル部６７内に保持する一対の締付部６７ｃが設けられている。例えば締付部６７ｃは、ベース板６７ａと協働して、絶縁ハウジング部材５４の端部と同軸ケーブル１２の端部とを保持する。具体的に、締付部６７ｃは、絶縁ハウジング部材５４の端部と同軸ケーブル１２の端部とをベース板６７ａとの間に挟む。各締付部６７ｃは、環状嵌合部６５から離れる方向に順に並ぶ第１の折曲係合部６８、第２の折曲係合部６９及び第３の折曲係合部７０を有する。折曲係合部６８は、絶縁ハウジング部材５４における中心導体支持部５６の外面部に固定された導電部材５８に係合する。これにより、導電部材５８が締付部６７ｃに接続される。特に図１８に示されるように、折曲係合部６９は、同軸ケーブル１２の端部において露出した外側導体１５に係合する。これにより、グラウンドコンタクト部材５３が外側導体１５に接続される。折曲係合部７０は、同軸ケーブル１２の端部の表皮絶縁体１６に係合する。
【００４２】
同軸コネクタ装置５１におけるシグナルコンタクト部材５２は、略Ｌ字状に屈曲可能とされて設けられて、屈曲せしめられたとき同軸ケーブル１２の中心導体１３に接触接続される中心導体接続部７１と、シグナルコンタクト部材５２における中心導体接続部７１が設けられた部分から伸びる接触接続部７２（接触部）（図１６に現れている。）と、を有して構成されている。接触接続部７２は、グラウンドコンタクト部材５３の環状嵌合部６５によって部分的に包囲された絶縁ハウジング部材５４の筒状部５５内に配されたものとされる。
【００４３】
上述のような同軸コネクタ装置５１が、同軸ケーブル１２の一端部に装着されるに際しては、先ず、図１４に示されるように、表皮絶縁体１６が部分的に切除されて外側導体１５が露出するとともにその外側導体１５及び内部絶縁体１４の夫々が部分的に切除されて中心導体１３が露出する状態におかれた一端部を有した同軸ケーブル１２の中心導体１３が、グラウンドコンタクト部材５３のシェル部６７が直立位置をとるもとにおいて、絶縁ハウジング部材５４に設けられた中心導体支持部５６に載置される。
【００４４】
その後、直立位置をとるグラウンドコンタクト部材５３のシェル部６７が、グラウンドコンタクト部材５３の環状嵌合部６５に対して折り曲げられて屈曲位置をとるものとされる。その際、絶縁ハウジング部材５４に設けられた折曲当接部５７がシェル部６７に伴って折り曲げられ、シグナルコンタクト部材５２における中心導体接続部７１に当接して、その中心導体接続部７１を絶縁ハウジング部材５４における中心導体支持部５６に載置された同軸ケーブル１２の中心導体１３に向けて押圧移動させ、中心導体接続部７１に同軸ケーブル１２の中心導体１３との押圧接触接続状態をとらせる。それにより、シグナルコンタクト部材５２における中心導体接続部７１に同軸ケーブル１２の中心導体１３が機械的及び電気的に接続された状態が得られる。このとき、シグナルコンタクト部材５２の中心導体接続部７１に接続される同軸ケーブル１２の中心導体１３は、絶縁ハウジング部材５４の中心導体支持部５６から、グラウンドコンタクト部材５３の環状嵌合部６５における一対の端部６５ａに挟まれて形成された開口部ＯＰ２を通じて、グラウンドコンタクト部材５３の環状嵌合部６５によって部分的に包囲された絶縁ハウジング部材５４の筒状部５５内へと伸びて配されており、グラウンドコンタクト部材５３の環状嵌合部６５における一対の端部６５ａに挟まれて形成された開口部ＯＰ２は、シグナルコンタクト部材５２の中心導体接続部７１に接続される同軸ケーブル１２の中心導体１３を配するために形成されたものとなっている。
【００４５】
さらにその後、屈曲位置をとるものとされたシェル部６７において、一対の第１の折曲係合部６８の夫々が折り曲げられて絶縁ハウジング部材５４における中心導体支持部５６の外面部に固定された導電部材５８に係合せしめられ、また、一対の第２の折曲係合部６９の夫々が折り曲げられて中心導体１３がシグナルコンタクト部材５２における中心導体接続部７１に接続された同軸ケーブル１２の外側導体１５に係合せしめられ、さらに、一対の第３の折曲係合部７０の夫々が折り曲げられて中心導体１３がシグナルコンタクト部材５２における中心導体接続部７１に接続された同軸ケーブル１２の表皮絶縁体１６に係合せしめられる。それにより、グラウンドコンタクト部材５３のシェル部６７が、中心導体１３がシグナルコンタクト部材５２における中心導体接続部７１に接続された同軸ケーブル１２の外側導体１５との接続がなされる。その結果、図１５, 図１６, 図１７及び図１８に示されるように、同軸ケーブル１２の一端部に同軸コネクタ装置５１が装着された状態が堅固に維持されることになる。図１５は、同軸コネクタ装置５１が同軸ケーブル１２の一端部に装着された状態を示す上方側から見た斜視図であり、図１６は、同軸コネクタ装置５１が同軸ケーブル１２の一端部に装着された状態を示す下方側から見た斜視図であり、図１７は、同軸コネクタ装置５１が同軸ケーブル１２の一端部に装着された状態を示す平面図であり、図１８は、図１７における XVIII−XVIII 線断面を示す断面図である。
【００４６】
このとき、図１８に示されるように、絶縁ハウジング部材５４における中心導体支持部５６の外面部に固定された導電部材５８が、それにおける弾性当接部５９を形成する部分によって、グラウンドコンタクト部材５３の環状嵌合部６５における一対の端部６５ａに挟まれて形成された開口部ＯＰ２を、部分的に塞ぐ位置に配されるものとされる。それにより、内部にシグナルコンタクト部材５２の接触接続部７２が配された、絶縁ハウジング部材５４の筒状部５５が、グラウンドコンタクト部材５３の環状嵌合部６５と導電部材５８とによって包囲された状態におかれることになる。このように、導電部材５８は、上記開口部ＯＰ２の少なくとも一部を塞ぎ、環状嵌合部６５と共に上記接触接続部７２を包囲する（筒状部５５を包囲する）第１導電部５８ａ（弾性当接部５９）と、第１導電部５８ａから環状嵌合部６５の外方（環状嵌合部６５の中心軸から遠ざかる方向）に張り出して締付部６７ｃに接続される第２導電部５８ｂとを含む。第１導電部５８ａと第２導電部５８ｂとは、上述のように絶縁ハウジング部材５４に固定され、第２導電部５８ｂが締付部６７ｃの折曲係合部６８に接触する。
【００４７】
図１９及び図２０は、図１５，図１６，図１７及び図１８に示される同軸ケーブル１２の一端部に装着された同軸コネクタ装置５１が、相手方コネクタ装置７５に連結された状態を示す。
【００４８】
相手方コネクタ装置７５は、図１９におけるXX−XX線断面を示す図２０に示されるように、回路基板７６における部品等搭載面７７上に固定されており、合成樹脂材等の絶縁材料により形成されて、相手方コネクタ装置７５が固定される回路基板７６の部品等搭載面７７上に配される絶縁基体７８を備えている。また、相手方コネクタ装置７５は、導電材料により形成されて絶縁基体７８に組み付けられたシグナルコンタクト部８０を備えている。シグナルコンタクト部８０には、絶縁基体７８をそれに形成された透孔を通じて貫通した円柱状部を成す接触接続部８１と、接触接続部８１から絶縁基体７８の外部へと伸びるシグナル用接続部８２と、が設けられている。接触接続部８１は、相手方コネクタ装置７５に連結された同軸コネクタ装置５１におけるシグナルコンタクト部材５２が有する接触接続部７２が接触接続されるものとされており、また、シグナル用接続部８２は、絶縁基体７８が配された回路基板７６の部品等搭載面７７に設けられたシグナル端子（図示が省略されている。）に、例えば、半田付けによって接続される。
【００４９】
さらに、相手方コネクタ装置７５は、導電材料により環状体を成すものとして形成され、絶縁基体７８に、それからその外方に突出して、シグナルコンタクト部８０における接触接続部８１を包囲する状態をもって組み付けられたグラウンドコンタクト部８５を備えている。グラウンドコンタクト部８５には、それから絶縁基体７８の外部へと伸びるグラウンド接続部８５ａが設けられており、グラウンド接続部８５ａは、絶縁基体７８が配された回路基板７６の部品等搭載面７７に設けられたグラウンド電位部（図示が省略されている。）に、例えば、半田付けによって接続される。そして、グラウンドコンタクト部８５は、相手方コネクタ装置７５に連結される同軸コネクタ装置５１が備えるグラウンドコンタクト部材５３の環状嵌合部６５が嵌合接続されるものとされている。
【００５０】
図１９及び図２０に示されるような、同軸ケーブル１２の一端部に装着された同軸コネクタ装置５１が相手方コネクタ装置７５に連結された状態がとられる際には、同軸コネクタ装置５１におけるグラウンドコンタクト部材５３の環状嵌合部６５が相手方コネクタ装置７５のグラウンドコンタクト部８５に嵌合接続される。それとともに、同軸コネクタ装置５１が備える絶縁ハウジング部材５４における中心導体支持部５６の外面部に固定された導電部材５８が、それにおける一端部を成す弾性当接部５９を相手方コネクタ装置７５のグラウンドコンタクト部８５に当接させて、相手方コネクタ装置７５のグラウンドコンタクト部８５に接触接続される。それにより、導電部材５８が回路基板７６の部品等搭載面７７に設けられたグラウンド電位部に連結される。
【００５１】
このようにして、同軸ケーブル１２の一端部に装着された同軸コネクタ装置５１におけるグラウンドコンタクト部材５３の環状嵌合部６５が、相手方コネクタ装置７５のグラウンドコンタクト部８５に嵌合接続されるとともに、同軸コネクタ装置５１が備える絶縁ハウジング部材５４における中心導体支持部５６の外面部に固定された導電部材５８が、相手方コネクタ装置７５のグラウンドコンタクト部８５に接触接続されたもとにあっては、図２０に示されるように、同軸コネクタ装置５１における絶縁ハウジング部材５４により支持されて、その中心導体接続部７１に同軸ケーブル１２の中心導体１３が接続されたシグナルコンタクト部材５２における、絶縁ハウジング部材５４における筒状部５５の内部に配された接触接続部７２が、相手方コネクタ装置７５のシグナルコンタクト部８０における接触接続部８１に接触接続されたものとされる。それにより、同軸ケーブル１２の中心導体１３が、同軸コネクタ装置５１におけるシグナルコンタクト部材５２及び相手方コネクタ装置７５のシグナルコンタクト部８０を通じて、回路基板７６の部品等搭載面７７に設けられたシグナル端子に連結され、また、同軸ケーブル１２の外側導体１５が、同軸コネクタ装置５１におけるグラウンドコンタクト部材５３及び相手方コネクタ装置７５のグラウンドコンタクト部８５を通じて、回路基板７６に設けられたグラウンド電位部に連結された状態が得られる。
【００５２】
そして、このとき、同軸コネクタ装置５１が備える絶縁ハウジング部材５４における中心導体支持部５６の外面部に固定された導電部材５８が、同軸コネクタ装置５１におけるグラウンドコンタクト部材５３のシェル部６７に設けられた一対の第１の折曲係合部６８及び相手方コネクタ装置７５のグラウンドコンタクト部８５を通じてグラウンド電位が与えられたもとで、それにおける弾性当接部５９（第１導電部５８ａ）を形成する部分によって、グラウンドコンタクト部材５３の環状嵌合部６５における一対の端部６５ａに挟まれて形成された開口部ＯＰ２を、部分的に塞ぐ位置に配されるものとされており、それにより、内部に同軸コネクタ装置５１におけるシグナルコンタクト部材５２の接触接続部７２が配された、同軸コネクタ装置５１における絶縁ハウジング部材５４の筒状部５５が、グラウンド電位が与えられた同軸コネクタ装置５１におけるグラウンドコンタクト部材５３の環状嵌合部６５と導電部材５８とによって包囲された状態におかれることになる。その結果、同軸コネクタ装置５１にあっては、それにおけるシグナルコンタクト部材５２を通じる高周波信号のグラウンドコンタクト部材５３の環状嵌合部６５に設けられた開口部ＯＰ２を通じての外部への漏洩を、効果的に軽減することができることになる。さらに、環状嵌合部６５と締付部６７ｃとの間の少なくとも一部が導電部材５８の第２導電部５８ｂによって塞がれるので、環状嵌合部６５と締付部６７ｃとの間を通じての上記高周波信号の漏洩をも効果的に軽減することができることになる。
〔実施例３〕
【００５３】
図２１は、本願発明に係る同軸コネクタ装置の第３の例を成す同軸コネクタ装置１１１を示す。同軸コネクタ装置１１１は、主要構成要素として、弾性導電性材料により形成されて、同軸ケーブル１２の中心導体１３との電気的接続がなされるものとされたシグナルコンタクト部材１１２と、弾性導電性材料により形成されて、同軸ケーブル１２の外側導体１５との電気的接続がなされるものとされたグラウンドコンタクト部材１１３と、合成樹脂材等の絶縁材料により形成されて、シグナルコンタクト部材１１２とグラウンドコンタクト部材１１３とを相互絶縁状態をもって支持する絶縁ハウジング部材１１４とを備えている。
【００５４】
絶縁ハウジング部材１１４は、シグナルコンタクト部材１１２を保持した筒状部１１５、及び、筒状部１１５から伸びて、シグナルコンタクト部材１１２に接続される同軸ケーブル１２の中心導体１３をシグナルコンタクト部材１１２を介して支持する中心導体支持部１１６が設けられたものとされている。そして、筒状部１１５の一端からは、折曲可能とされて、折り曲げられたときシグナルコンタクト部材１１２に押圧当接する状態をとる折曲当接部１１７が伸びている。
【００５５】
グラウンドコンタクト部材１１３は、絶縁ハウジング部材１１４の筒状部１１５を部分的に包囲する環状嵌合部１１８を有している。環状嵌合部１１８には、それにおける一対の相互対向する端部１１８ａによって挟まれた開口部ＯＰ３が形成されており、一対の端部１１８ａからは、絶縁ハウジング部材１１４の中心導体支持部１１６に沿って伸びる一対の腕部１１９が夫々伸びていて、一対の腕部１１９は、中心導体支持部１１６を挟んで相互対向するものとされている。このような絶縁ハウジング部材１１４の筒状部１１５とそれを部分的に包囲するグラウンドコンタクト部材１１３の環状嵌合部１１８とは、同軸コネクタ装置１１１における嵌合連結部を構成しており、同軸ケーブル１２の一端部に装着された同軸コネクタ装置１１１は、斯かる嵌合連結部をもって、他のコネクタ装置である相手方コネクタ装置に嵌合連結される。その際、環状嵌合部１１８は、相手方コネクタ装置のグラウンドコンタクト部に嵌合接続される。
【００５６】
また、グラウンドコンタクト部材１１３は、環状嵌合部１１８に加えて、環状嵌合部１１８の一端から折曲可能に伸び、折り曲げられるとき、中心導体１３がシグナルコンタクト部材１１２に接続された同軸ケーブル１２の外側導体１５との接続がなされることになるシェル部１２０を有している。グラウンドコンタクト部材１１３のシェル部１２０は、環状嵌合部１１８に対して折り曲げられていない直立位置と環状嵌合部１１８に対して折り曲げられた屈曲位置とを選択的にとるものとされていて、図２１においては、グラウンドコンタクト部材１１３のシェル部１２０が直立位置をとるものとされており、後述される図２４〜図３０においては、グラウンドコンタクト部材１１３のシェル部１２０が屈曲位置をとるものとされている。以下、シェル部１２０が屈曲位置にある場合について説明を継続する。シェル部１２０は、環状嵌合部１１８の外（環状嵌合部１１８の外周に沿う仮想円の外）に位置し、絶縁ハウジング部材１１４の端部（中心導体支持部１１６の端部）と同軸ケーブル１２の端部の少なくとも一部を収容する。環状嵌合部１１８の上記開口部ＯＰ３（一対の端部１１８ａによって挟まれた開口部ＯＰ３）は、環状嵌合部１１８の内部とシェル部１２０の内部とを連通させる。シェル部１２０は、環状嵌合部１１８の外に張り出したベース板１２０ａと、ベース板１２０ａに対して起立した一対の側板１２０ｂとを有する。一対の側板１２０ｂの端部には、折り曲げられて絶縁ハウジング部材１１４の端部と同軸ケーブル１２の端部とをシェル部１２０内に保持する一対の締付部１２０ｃが設けられている。例えば締付部１２０ｃは、ベース板１２０ａと協働して、絶縁ハウジング部材１１４の端部と同軸ケーブル１２の端部とを保持する。具体的に、締付部１２０ｃは、絶縁ハウジング部材１１４の端部と同軸ケーブル１２の端部とをベース板１２０ａとの間に挟む。各締付部１２０ｃは、環状嵌合部１１８から離れる方向に順に並ぶ第１の折曲係合部１２１、第２の折曲係合部１２２及び第３の折曲係合部１２３を有する。図２３、図２４、及び図２８に特に示される様に折曲係合部１２１は、絶縁ハウジング部材１１４の端部に係合する。折曲係合部１２２は、同軸ケーブル１２の端部において露出した外側導体１５に係合する。これにより、グラウンドコンタクト部材１１３が外側導体１５に接続される。折曲係合部１２３は、同軸ケーブル１２の端部の表皮絶縁体１６に係合する。
【００５７】
同軸コネクタ装置１１１におけるシグナルコンタクト部材１１２は、略Ｌ字状に屈曲可能とされて設けられて、屈曲せしめられたとき同軸ケーブル１２の中心導体１３に接触接続される中心導体接続部１２６と、シグナルコンタクト部材１１２における中心導体接続部１２６が設けられた部分から伸びる接触接続部１２７（接触部）（図２５に現れている。）と、を有して構成されている。接触接続部１２７は、グラウンドコンタクト部材１１３の環状嵌合部１１８によって部分的に包囲された絶縁ハウジング部材１１４の筒状部１１５内に配されたものとされる。
【００５８】
図２２に示すように、同軸コネクタ装置１１１におけるグラウンドコンタクト部材１１３は、上記開口部ＯＰ３の少なくとも一部を塞ぎ、環状嵌合部１１８と共に上記接触接続部１２７を包囲する（筒状部１１５を包囲する）第１導電部１２４と、第１導電部１２４から環状嵌合部１１８の外方（環状嵌合部１１８の中心軸から遠ざかる方向）に張り出して締付部１２０ｃに接続される第２導電部１２５とを含む。第１導電部１２４と第２導電部１２５とは、環状嵌合部１１８に固定され、第２導電部１２５が折曲係合部１２１に接触する。例えば同軸コネクタ装置１１１は、環状嵌合部１１８の一対の端部１１８ａに夫々固定された一対の第１導電部１２４と、一対の第１導電部１２４に夫々連なる一対の第２導電部１２５とを備える。一対の第１導電部１２４及び一対の第２導電部１２５は、一枚の板材から環状嵌合部１１８と一体的に形成されている。一対の第１導電部１２４は、一対の端部１１８ａから、上記仮想円に沿って上記開口部ＯＰ３の中央まで夫々突出している。一対の第２導電部１２５は、一対の第１導電部１２４の端部に夫々連なり、環状嵌合部１１８の外方に張り出している。一対の第２導電部１２５の端部は、中心導体支持部１１６と共に一対の折曲係合部１２１によって締め付けられる（図２５、図２６、及び図２８参照）。これにより、第２導電部１２５が折曲係合部１２１に接触し、締付部１２０ｃに接続される。
【００５９】
上述のような同軸コネクタ装置１１１が、同軸ケーブル１２の一端部に装着されるに際しては、先ず、図２３に示されるように、表皮絶縁体１６が部分的に切除されて外側導体１５が露出するとともにその外側導体１５及び内部絶縁体１４の夫々が部分的に切除されて中心導体１３が露出する状態におかれた一端部を有した同軸ケーブル１２の中心導体１３が、グラウンドコンタクト部材１１３のシェル部１２０が直立位置をとるもとにおいて、絶縁ハウジング部材１１４に設けられた中心導体支持部１１６に載置される。
【００６０】
その後、直立位置をとるグラウンドコンタクト部材１１３のシェル部１２０が、グラウンドコンタクト部材１１３の環状嵌合部１１８に対して折り曲げられて屈曲位置をとるものとされる。その際、絶縁ハウジング部材１１４に設けられた折曲当接部１１７がシェル部１２０の屈曲に伴って折り曲げられ、シグナルコンタクト部材１１２における中心導体接続部１２６に当接して、その中心導体接続部１２６を絶縁ハウジング部材１１４における中心導体支持部１１６に載置された同軸ケーブル１２の中心導体１３に向けて押圧移動させ、中心導体接続部１２６に同軸ケーブル１２の中心導体１３との押圧接触接続状態をとらせる。それにより、シグナルコンタクト部材１１２における中心導体接続部１２６に同軸ケーブル１２の中心導体１３が機械的及び電気的に接続された状態が得られる。このとき、シグナルコンタクト部材１１２の中心導体接続部１２６に接続される同軸ケーブル１２の中心導体１３は、絶縁ハウジング部材１１４の中心導体支持部１１６から、グラウンドコンタクト部材１１３の環状嵌合部１１８における一対の端部１１８ａに挟まれて形成された開口部ＯＰ３を通じて、絶縁ハウジング部材１１４の筒状部１１５内へと伸びて配されている。グラウンドコンタクト部材１１３の環状嵌合部１１８における一対の端部１１８ａに挟まれて形成された開口部ＯＰ３は、シグナルコンタクト部材１１２の中心導体接続部１２６に接続される同軸ケーブル１２の中心導体１３を配するために形成されたものとなっている。
【００６１】
さらにその後、屈曲位置をとるものとされたシェル部１２０において、一対の第１の折曲係合部１２１の夫々が折り曲げられて絶縁ハウジング部材１１４における中心導体支持部１１６に係合せしめられ、一対の第２導電部１２５に夫々接触する（図２５及び図２６参照）。また、一対の折曲係合部１２２の夫々が折り曲げられて中心導体１３がシグナルコンタクト部材１１２における中心導体接続部１２６に接続された同軸ケーブル１２の外側導体１５に係合せしめられる。さらに、一対の第３の折曲係合部１２３の夫々が折り曲げられて中心導体１３がシグナルコンタクト部材１１２における中心導体接続部１２６に接続された同軸ケーブル１２の表皮絶縁体１６に係合せしめられる。それにより、グラウンドコンタクト部材１１３のシェル部１２０が、シグナルコンタクト部材１１２における中心導体接続部１２６に中心導体１３が接続された同軸ケーブル１２の外側導体１５との接続がなされる。その結果、図２４,図２５,図２７及び図２８に示されるように、同軸ケーブル１２の一端部に同軸コネクタ装置１１１が装着された状態が堅固に維持されることになる。図２４は、同軸コネクタ装置１１１が同軸ケーブル１２の一端部に装着された状態を示す上方側から見た斜視図であり、図２５は、同軸コネクタ装置１１１が同軸ケーブル１２の一端部に装着された状態を示す下方側から見た斜視図であり、図２７は、同軸コネクタ装置１１１が同軸ケーブル１２の一端部に装着された状態を示す平面図であり、図２８は、図２７における XXVIII−XXVIII線断面を示す断面図である。
【００６２】
図２９及び図３０は、図２４，図２５，図２７及び図２８に示される同軸ケーブル１２の一端部に装着された同軸コネクタ装置１１１が、相手方コネクタ装置７５に連結された状態を示す。同軸ケーブル１２の一端部に装着された同軸コネクタ装置１１１が相手方コネクタ装置７５に連結された状態がとられる際には、同軸コネクタ装置１１１におけるグラウンドコンタクト部材１１３の環状嵌合部１１８が相手方コネクタ装置７５のグラウンドコンタクト部８５に嵌合接続される。それとともに、同軸コネクタ装置１１１が備える第１導電部１２４が相手方コネクタ装置７５のグラウンドコンタクト部８５に接触接続される。
【００６３】
このようにして、同軸ケーブル１２の一端部に装着された同軸コネクタ装置１１１におけるグラウンドコンタクト部材１１３の環状嵌合部１１８が、相手方コネクタ装置７５のグラウンドコンタクト部８５に嵌合接続されるとともに、第１導電部１２４が、相手方コネクタ装置７５のグラウンドコンタクト部８５に接触接続されたもとにあっては、図３０に示されるように、同軸コネクタ装置１１１における絶縁ハウジング部材１１４により支持されて、その中心導体接続部１２６に同軸ケーブル１２の中心導体１３が接続されたシグナルコンタクト部材１１２における、絶縁ハウジング部材１１４における筒状部１１５の内部に配された接触接続部１２７が、相手方コネクタ装置７５のシグナルコンタクト部８０における接触接続部８１に接触接続されたものとされる。それにより、同軸ケーブル１２の中心導体１３が、同軸コネクタ装置１１１におけるシグナルコンタクト部材１１２及び相手方コネクタ装置７５のシグナルコンタクト部８０を通じて、回路基板７６の部品等搭載面７７に設けられたシグナル端子に連結され、また、同軸ケーブル１２の外側導体１５が、同軸コネクタ装置１１１におけるグラウンドコンタクト部材１１３及び相手方コネクタ装置７５のグラウンドコンタクト部８５を通じて、回路基板７６に設けられたグラウンド電位部に連結された状態が得られる。
【００６４】
そして、このとき、第１導電部１２４が、相手方コネクタ装置７５のグラウンドコンタクト部８５を通じてグラウンド電位が与えられたもとで、環状嵌合部１１８の開口部ＯＰ３を、部分的に塞ぐ位置に配されるものとされており、それにより、内部に同軸コネクタ装置１１１におけるシグナルコンタクト部材１１２の接触接続部１２７が配された、同軸コネクタ装置１１１における絶縁ハウジング部材１１４の筒状部１１５が、グラウンド電位が与えられた同軸コネクタ装置１１１におけるグラウンドコンタクト部材１１３の環状嵌合部１１８と第１導電部１２４とによって包囲された状態におかれることになる。その結果、同軸コネクタ装置１１１にあっては、それにおけるシグナルコンタクト部材１１２を通じる高周波信号のグラウンドコンタクト部材１１３の環状嵌合部１１８に設けられた開口部ＯＰ３を通じての外部への漏洩を、効果的に軽減することができることになる。さらに、環状嵌合部１１８と折曲係合部１２１との間の少なくとも一部が第２導電部１２５によって塞がれるので、環状嵌合部１１８と折曲係合部１２１との間を通じての上記高周波信号の漏洩をも効果的に軽減することができることになる。
〔実施例４〕
【００６５】
図３１は、本願発明に係る同軸コネクタ装置の第４の例を成す同軸コネクタ装置２１１を示す。同軸コネクタ装置２１１は、主要構成要素として、弾性導電性材料により形成されて、同軸ケーブル１２の中心導体１３との電気的接続がなされるものとされたシグナルコンタクト部材２１２と、弾性導電性材料により形成されて、同軸ケーブル１２の外側導体１５との電気的接続がなされるものとされたグラウンドコンタクト部材２１３と、合成樹脂材等の絶縁材料により形成されて、シグナルコンタクト部材２１２とグラウンドコンタクト部材２１３とを相互絶縁状態をもって支持する絶縁ハウジング部材２１４とを備えている。
【００６６】
絶縁ハウジング部材２１４は、シグナルコンタクト部材２１２を保持した筒状部２１５、及び、筒状部２１５から伸びて、シグナルコンタクト部材２１２に接続される同軸ケーブル１２の中心導体１３をシグナルコンタクト部材２１２を介して支持する中心導体支持部２１６が設けられたものとされている。そして、筒状部２１５の一端からは、折曲可能とされて、折り曲げられたときシグナルコンタクト部材２１２に押圧当接する状態をとる折曲当接部２１７が伸びている。
【００６７】
グラウンドコンタクト部材２１３は、絶縁ハウジング部材２１４の筒状部２１５を部分的に包囲する環状嵌合部２１８を有している。環状嵌合部２１８には、それにおける一対の相互対向する端部２１８ａによって挟まれた開口部ＯＰ４が形成されている。このような絶縁ハウジング部材２１４の筒状部２１５とそれを部分的に包囲するグラウンドコンタクト部材２１３の環状嵌合部２１８とは、同軸コネクタ装置２１１における嵌合連結部を構成しており、同軸ケーブル１２の一端部に装着された同軸コネクタ装置２１１は、斯かる嵌合連結部をもって、他のコネクタ装置である相手方コネクタ装置に嵌合連結される。以下、同軸コネクタ装置２１１が相手方コネクタ装置に嵌合連結された状態を「嵌合連結状態」という。嵌合連結状態において、環状嵌合部２１８は相手方コネクタ装置のグラウンドコンタクト部に嵌合接続される。筒状部２１５は、嵌合連結状態において相手方コネクタ装置に対向する第１端面２１５ａと、嵌合連結状態において相手方コネクタ装置の反対に向かう第２端面２１５ｂとを有する。環状嵌合部２１８は、第１端面２１５ａと同じ方向に向かう第１縁部２１８ｂと、第２端面２１５ｂと同じ方向に向かう第２縁部２１８ｃとを有する。中心導体支持部２１６は、第１端面２１５ａと同じ方向に向かう第１面２１６ａと、第２端面２１５ｂと同じ方向に向かう第２面２１６ｂと、第１面２１６ａ及び第２面２１６ｂに垂直な一対の側面２１６ｃとを有する。
【００６８】
環状嵌合部２１８の一対の端部２１８ａからは、絶縁ハウジング部材２１４の中心導体支持部２１６に沿って伸びる一対の腕部２２１が夫々伸びている。一対の腕部２２１は、一対の側面２１６ｃの少なくとも一部をそれぞれ覆う。腕部２２１は、筒状部２１５の第１端面２１５ａと同じ方向に向かう第１縁部２２１ａと、筒状部２１５の第２端面２１５ｂと同じ方向に向かう第２縁部２２１ｂとを有する。各腕部２２１の第１縁部２２１ａからは、他方の腕部２２１に向かって内側締付部２２２が張り出している。内側締付部２２２は、中心導体支持部２１６の第１面２１６ａの少なくとも一部を覆う。一対の腕部２２１からそれぞれ張り出した一対の内側締付部２２２の端部は、第１面２１６ａの中央において互いに対向している。
【００６９】
また、グラウンドコンタクト部材２１３は、環状嵌合部２１８に加えて、環状嵌合部２１８の第２縁部２１８ｃから折曲可能に伸び、該第２縁部２１８ｃを基点とし折り曲げられるとき、中心導体１３がシグナルコンタクト部材２１２に接続された同軸ケーブル１２の外側導体１５との接続がなされることになるシェル部２３０を有している。グラウンドコンタクト部材２１３のシェル部２３０は、環状嵌合部２１８に対して折り曲げられていない直立位置と環状嵌合部２１８に対して折り曲げられた屈曲位置とを選択的にとるものとされていて、図３１及び図３２においては、グラウンドコンタクト部材２１３のシェル部２３０が直立位置をとるものとされており、後述される図３３〜図３５においては、グラウンドコンタクト部材２１３のシェル部２３０が屈曲位置をとるものとされている。以下、シェル部２３０が屈曲位置にある場合について説明を継続する。シェル部２３０は、環状嵌合部２１８の外（環状嵌合部２１８の外周に沿う仮想円の外）に位置し、絶縁ハウジング部材２１４の端部（中心導体支持部２１６の端部）と同軸ケーブル１２の端部との少なくとも一部を収容する。環状嵌合部２１８の上記開口部ＯＰ４（一対の端部２１８ａによって挟まれた開口部）は、環状嵌合部２１８の内部とシェル部２３０の内部とを連通させる。
【００７０】
シェル部２３０は、ベース板２３０ａと、一対の側板２３０ｂとを有する。ベース板２３０ａは、筒状部２１５の第２端面２１５ｂの少なくとも一部を覆う。ベース板２３０ａは環状嵌合部２１８の外に張り出しており、中心導体支持部２１６の第２面２１６ｂの少なくとも一部を更に覆う。一対の側板２３０ｂは、ベース板２３０ａのうち環状嵌合部２１８の外に張り出した部分に設けられている。一対の側板２３０ｂは、中心導体支持部２１６の第１面２１６ａと同じ方向に向かってベース板２３０ａから起立し、互いに対向している。各側板２３０ｂは、中心導体支持部２１６との間に腕部２２１を挟む。
【００７１】
一対の側板２３０ｂの端部には、折り曲げられて絶縁ハウジング部材２１４の端部と同軸ケーブル１２の端部とをシェル部２３０内に保持する一対の外側締付部２３０ｃが設けられている。例えば外側締付部２３０ｃは、ベース板２３０ａと協働して、絶縁ハウジング部材２１４の端部と同軸ケーブル１２の端部とを保持する。具体的に、外側締付部２３０ｃは、絶縁ハウジング部材２１４の端部と同軸ケーブル１２の端部とをベース板２３０ａとの間に挟む。各外側締付部２３０ｃは、環状嵌合部２１８から離れる方向に順に並ぶ第１の折曲係合部２３１、第２の折曲係合部２３２及び第３の折曲係合部２３３を有する。図３３、図３４、及び図３８に特に示される様に折曲係合部２３１は、内側締付部２２２を介して絶縁ハウジング部材２１４の端部に係合する。折曲係合部２３２は、同軸ケーブル１２の端部において露出した外側導体１５に係合する。これにより、グラウンドコンタクト部材２１３が外側導体１５に接続される。折曲係合部２３３は、同軸ケーブル１２の端部の表皮絶縁体１６に係合する。
【００７２】
同軸コネクタ装置２１１におけるシグナルコンタクト部材２１２は、略Ｌ字状に屈曲可能とされて設けられて、屈曲せしめられたとき同軸ケーブル１２の中心導体１３に接触接続される中心導体接続部２４１と、シグナルコンタクト部材２１２における中心導体接続部２４１が設けられた部分から伸びる接触接続部２４２（接触部）（図３４に現れている。）と、を有して構成されている。接触接続部２４２は、グラウンドコンタクト部材２１３の環状嵌合部２１８によって部分的に包囲された絶縁ハウジング部材２１４の筒状部２１５内に配されたものとされる。
【００７３】
図３４に示すように、同軸コネクタ装置２１１におけるグラウンドコンタクト部材２１３は、上記開口部ＯＰ４の少なくとも一部を塞ぎ、環状嵌合部２１８と共に上記接触接続部２４２を包囲する（筒状部２１５を包囲する）第１導電部２３４を有する。第１導電部２３４は環状嵌合部２１８に固定されている。例えば同軸コネクタ装置２１１は、環状嵌合部２１８の一対の端部２１８ａに夫々固定された一対の第１導電部２３４を有する。一対の第１導電部２３４は、一枚の板材から環状嵌合部２１８と一体的に形成されている。一対の第１導電部２３４は、一対の端部２１８ａから、上記仮想円に沿って上記開口部ＯＰ４の中央まで夫々突出している。
【００７４】
図３６に示されるように、絶縁ハウジング部材２１４にあっては、それにおける中心導体支持部２１６の第１面２１６ａに、弾性導電性材料により形成された導電部材２５１（第２導電部）が取り付けられている。導電部材２５１は、例えば、金属板材に打抜き・屈曲加工が施されて形成されるものとされており、図３７に示すように、ベース板２５２と、接触部２５３と、一対の爪部２５４とを有する。ベース板２５２は、円弧状に窪んだ端部２５２ａと、端部２５２ａに交わる２か所の側部２５２ｂとを有する。接触部２５３は、端部２５２ａに設けられており、ベース板２５２に対して垂直に起立している。接触部２５３は、端部２５２ａに沿って円弧状に湾曲しており、凹状の接触面２５３ａを構成している。接触面２５３ａの曲率は、第１導電部２３４の外面（環状嵌合部２１８の外面）の曲率と同等である。一対の爪部２５４は、２か所の側部２５２ｂにそれぞれ設けられており、ベース板２５２に対して接触部２５３と同じ方向に起立している。導電部材２５１は、接触面２５３ａが筒状部２１５に面するように配置され、中心導体支持部２１６に固定される。中心導体支持部２１６には、第１面２１６ａに開口する２か所の差込孔２６１が形成されており、一対の爪部２５４は２か所の差込孔２６１にそれぞれ差し込まれる。中心導体支持部２１６に固定された導電部材２５１の接触部２５３は、一対の第１導電部２３４に接触し、ベース板２５２は一対の内側締付部２２２に接触する（図３５参照）。
【００７５】
上述のような同軸コネクタ装置２１１が、同軸ケーブル１２の一端部に装着されるに際しては、先ず、図３２に示されるように、表皮絶縁体１６が部分的に切除されて外側導体１５が露出するとともにその外側導体１５及び内部絶縁体１４の夫々が部分的に切除されて中心導体１３が露出する状態におかれた一端部を有した同軸ケーブル１２の中心導体１３が、グラウンドコンタクト部材２１３のシェル部２３０が直立位置をとるもとにおいて、絶縁ハウジング部材２１４に設けられた中心導体支持部２１６に載置される。
【００７６】
その後、シェル部２３０が、グラウンドコンタクト部材２１３の環状嵌合部２１８に対して折り曲げられて屈曲位置をとるものとされる。その際、絶縁ハウジング部材２１４に設けられた折曲当接部２１７がシェル部２３０の屈曲に伴って折り曲げられ、シグナルコンタクト部材２１２における中心導体接続部２４１に当接して、中心導体接続部２４１を絶縁ハウジング部材２１４における中心導体支持部２１６に載置された同軸ケーブル１２の中心導体１３に向けて押圧移動させ、中心導体接続部２４１に同軸ケーブル１２の中心導体１３との押圧接触接続状態をとらせる。それにより、シグナルコンタクト部材２１２における中心導体接続部２４１に同軸ケーブル１２の中心導体１３が機械的及び電気的に接続された状態が得られる。このとき、シグナルコンタクト部材２１２の中心導体接続部２４１に接続される同軸ケーブル１２の中心導体１３は、絶縁ハウジング部材２１４の中心導体支持部２１６から、グラウンドコンタクト部材２１３の環状嵌合部２１８における開口部ＯＰ４を通じて、絶縁ハウジング部材２１４の筒状部２１５内へと伸びて配されている。開口部ＯＰ４は、シグナルコンタクト部材２１２の中心導体接続部２４１に接続される同軸ケーブル１２の中心導体１３を配するために形成されたものとなっている。
【００７７】
さらにその後、屈曲位置をとるものとされたシェル部２３０において、一対の第１の折曲係合部２３１、一対の折曲係合部２３２、一対の折曲係合部２３３の夫々が折り曲げられ、絶縁ハウジング部材２１４の端部と同軸ケーブル１２の端部とがシェル部２３０内に保持された状態となる。一対の折曲係合部２３１の夫々は、内側締付部２２２を介して絶縁ハウジング部材２１４における中心導体支持部２１６に係合せしめられる。これにより、中心導体支持部２１６が内側締付部２２２及び折曲係合部２３１によりシェル部２３０内に保持された状態となる。また、折曲係合部２３１と導電部材２５１とが内側締付部２２２を介して電気的に接続された状態となる（図３４及び図３５参照）。一対の折曲係合部２３２の夫々は、中心導体１３がシグナルコンタクト部材２１２における中心導体接続部２４１に接続された同軸ケーブル１２の外側導体１５に係合せしめられる。一対の第３の折曲係合部２３３の夫々は、シグナルコンタクト部材２１２における中心導体接続部２４１に中心導体１３が接続された同軸ケーブル１２の表皮絶縁体１６に係合せしめられる。それにより、グラウンドコンタクト部材２１３のシェル部２３０が、中心導体１３がシグナルコンタクト部材２１２における中心導体接続部２４１に接続された同軸ケーブル１２の外側導体１５との接続がなされる。その結果、図３３、図３４及び図３５に示されるように、同軸ケーブル１２の一端部に同軸コネクタ装置２１１が装着された状態が堅固に維持されることになる。図３３は、同軸コネクタ装置２１１が同軸ケーブル１２の一端部に装着された状態を示す上方側から見た斜視図であり、図３４は、同軸コネクタ装置２１１が同軸ケーブル１２の一端部に装着された状態を示す下方側から見た斜視図であり、図３５は、図３３における XXXV−XXXV線断面を示す断面図である。
【００７８】
図３８は、図３３、図３４及び図３５に示される同軸コネクタ装置２１１が、相手方コネクタ装置７５に連結された状態を示す。同軸ケーブル１２の一端部に装着された同軸コネクタ装置２１１が相手方コネクタ装置７５に連結された状態がとられる際には、同軸コネクタ装置２１１におけるグラウンドコンタクト部材２１３の環状嵌合部２１８が相手方コネクタ装置７５のグラウンドコンタクト部８５に嵌合接続される。それとともに、同軸コネクタ装置２１１が備える第１導電部２３４が相手方コネクタ装置７５のグラウンドコンタクト部８５に接触接続される。
【００７９】
このようにして、同軸ケーブル１２の一端部に装着された同軸コネクタ装置２１１におけるグラウンドコンタクト部材２１３の環状嵌合部２１８が、相手方コネクタ装置７５のグラウンドコンタクト部８５に嵌合接続されるとともに、第１導電部２３４が、相手方コネクタ装置７５のグラウンドコンタクト部８５に接触接続されたもとにあっては、同軸コネクタ装置２１１における絶縁ハウジング部材２１４により支持されて、その中心導体接続部２４１に同軸ケーブル１２の中心導体１３が接続されたシグナルコンタクト部材２１２における、絶縁ハウジング部材２１４における筒状部２１５の内部に配された接触接続部２４２が、相手方コネクタ装置７５のシグナルコンタクト部８０における接触接続部８１に接触接続されたものとされる。それにより、同軸ケーブル１２の中心導体１３が、同軸コネクタ装置２１１におけるシグナルコンタクト部材２１２及び相手方コネクタ装置７５のシグナルコンタクト部８０を通じて、回路基板７６の部品等搭載面７７に設けられたシグナル端子に連結され、また、同軸ケーブル１２の外側導体１５が、同軸コネクタ装置２１１におけるグラウンドコンタクト部材２１３及び相手方コネクタ装置７５のグラウンドコンタクト部８５を通じて、回路基板７６に設けられたグラウンド電位部に連結された状態が得られる。
【００８０】
そして、このとき、第１導電部２３４が、相手方コネクタ装置７５のグラウンドコンタクト部８５を通じてグラウンド電位が与えられたもとで、環状嵌合部２１８の開口部ＯＰ４を、部分的に塞ぐ位置に配されるものとされており、それにより、内部に同軸コネクタ装置２１１におけるシグナルコンタクト部材２１２の接触接続部２４２が配された、同軸コネクタ装置２１１における絶縁ハウジング部材２１４の筒状部２１５が、グラウンド電位が与えられた同軸コネクタ装置２１１におけるグラウンドコンタクト部材２１３の環状嵌合部２１８と第１導電部２３４とによって包囲された状態におかれることになる。その結果、同軸コネクタ装置２１１にあっては、それにおけるシグナルコンタクト部材２１２を通じる高周波信号のグラウンドコンタクト部材２１３の環状嵌合部２１８に設けられた開口部ＯＰ４を通じての外部への漏洩を、効果的に軽減することができることになる。さらに、環状嵌合部２１８と内側締付部２２２との間の少なくとも一部が導電部材２５１によって塞がれるので、環状嵌合部２１８と内側締付部２２２との間を通じての上記高周波信号の漏洩をも効果的に軽減することができることになる。
【００８１】
以上、実施例１、実施例２、実施例３及び実施例４について説明したが、本発明はこれらの実施例に限られず、その要旨を逸脱しない範囲で適宜変更可能である。例えば、第１導電部が環状嵌合部に固定され、第２導電部が締付部に固定され、第１導電部に接触してもよい。
【産業上の利用可能性】
【００８２】
以上のような本願発明に係る同軸コネクタ装置は、同軸ケーブルの中心導体が接続されるシグナルコンタクト部材と、同軸ケーブルの外側導体が接続されるグラウンドコンタクト部材と、シグナルコンタクト部材とグラウンドコンタクト部材とを相互絶縁状態をもって支持する絶縁ハウジング部材とを含んで構成されて相手方コネクタ装置に連結されるものとされ、グラウンドコンタクト部材が、相手方コネクタ装置のグラウンドコンタクト部に嵌合接続される環状嵌合部を有し、その環状嵌合部に、同軸ケーブルの中心導体が接続されるシグナルコンタクト部材の中心導体接続部もしくはシグナルコンタクト部材の中心導体接続部に接続される同軸ケーブルの中心導体を配するための開口部が設けられたもとにあっても、シグナルコンタクト部材を通じる高周波信号のグラウンドコンタクト部材の環状嵌合部に設けられた開口部を通じての外部への漏洩を効果的に軽減することができるものとして、各種の電子機器等に広く適用され得るものである。
【符号の説明】
【００８３】
１１，５１，１１１，２１１…同軸コネクタ装置、１２…同軸ケーブル、１３…中心導体、１４…内部絶縁体、１５…外側導体、１６…表皮絶縁体、２０，５２，１１２，２１２…シグナルコンタクト部材、２１，５３，１１３，２１３…グラウンドコンタクト部材、２２，５４，１１４，２１４…絶縁ハウジング部材、２３，５５，１１５，２１５…筒状部、２４，５６，１１６，２１６…中心導体支持部、２５，６５，１１８，２１８…環状嵌合部、２７，６７，１２０，２３０…シェル部、２６，６６，１１９，２２１…腕部、２８…第１の締付部、２９…第２の締付部、３０，５８…導電部材、３０ａ，５８ａ，１２４，２３４…第１導電部、３０ｂ，５８ｂ，１２５…第２導電部、２５１…導電部材（第２導電部）、３１，７１，１２６…中心導体接続部、３２，７２，１２７，２４２…接触接続部（接触部）、４０，７５…相手方コネクタ装置、４１，７６…回路基板、４２，７７…部品等搭載面、４３，８０…シグナルコンタクト部、４４，８５…グラウンドコンタクト部、５７，１１７，２１７…折曲当接部、５９…弾性当接部、６８，１２１…第１の折曲係合部、６９，１２２…第２の折曲係合部、７０，１２３…第３の折曲係合部、７８…絶縁基体、８１…接触接続部、８２…シグナル用接続部、ＯＰ１，ＯＰ２，ＯＰ３，ＯＰ４…開口部。
【図１】
2020189221.tif 000003
【図２】
2020189221.tif 000004
【図３】
2020189221.tif 000005
【図４】
2020189221.tif 000006
【図５】
2020189221.tif 000007
【図６】
2020189221.tif 000008
【図７】
2020189221.tif 000009
【図８】
2020189221.tif 000010
【図９】
2020189221.tif 000011
【図１０】
2020189221.tif 000012
【図１１】
2020189221.tif 000013
【図１２】
2020189221.tif 000014
【図１３】
2020189221.tif 000015
【図１４】
2020189221.tif 000016
【図１５】
2020189221.tif 000017
【図１６】
2020189221.tif 000018
【図１７】
2020189221.tif 000019
【図１８】
2020189221.tif 000020
【図１９】
2020189221.tif 000021
【図２０】
2020189221.tif 000022
【図２１】
2020189221.tif 000023
【図２２】
2020189221.tif 000024
【図２３】
2020189221.tif 000025
【図２４】
2020189221.tif 000026
【図２５】
2020189221.tif 000027
【図２６】
2020189221.tif 000028
【図２７】
2020189221.tif 000029
【図２８】
2020189221.tif 000030
【図２９】
2020189221.tif 000031
【図３０】
2020189221.tif 000032
【図３１】
2020189221.tif 000033
【図３２】
2020189221.tif 000034
【図３３】
2020189221.tif 000035
【図３４】
2020189221.tif 000036
【図３５】
2020189221.tif 000037
【図３６】
2020189221.tif 000038
【図３７】
2020189221.tif 000039
【図３８】
2020189221.tif 000040
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
同軸ケーブルの中心導体との接続がなされる中心導体接続部、及び、回路基板に装着された相手方コネクタ装置のシグナルコンタクト部に接触接続される接触接続部を有したシグナルコンタクト部材と、
相手方コネクタ装置のグラウンドコンタクト部に嵌合接続される環状嵌合部、及び、該環状嵌合部から屈曲可能に伸びて上記中心導体接続部に接続された中心導体を有した同軸ケーブルの外側導体との接続がなされるシェル部を有し、グラウンド電位が与えられるグラウンドコンタクト部材と、
上記シグナルコンタクト部材及び上記グラウンドコンタクト部材を相互絶縁状態をもって支持する絶縁ハウジング部材と、
を備えて構成され、
上記グラウンドコンタクト部材の環状嵌合部に、上記同軸ケーブルの中心導体が接続される上記シグナルコンタクト部材の中心導体接続部もしくは上記シグナルコンタクト部材の中心導体接続部に接続される上記同軸ケーブルの中心導体を配するための開口部が設けられたもとで、上記グラウンドコンタクト部材のシェル部もしくは上記絶縁ハウジング部材に、グラウンド電位が与えられるとともに上記環状嵌合部に設けられた上記開口部を部分的に塞ぎ、上記環状嵌合部が上記相手方コネクタ装置のグラウンドコンタクト部に嵌合接続された状態において、上記相手方コネクタ装置のグラウンドコンタクト部に接触する導電部材が設けられたことを特徴とする同軸コネクタ装置。
【請求項２】
上記絶縁ハウジングが、上記グラウンドコンタクト部材の環状嵌合部及び上記導電部材により包囲される筒状部を有しており、上記シグナルコンタクト部材の接触接続部が上記筒状部内に配されることを特徴とする請求項１記載の同軸コネクタ装置。
【請求項３】
上記グラウンドコンタクト部材のシェル部が、上記シグナルコンタクト部材の中心導体接続部に接続された中心導体を有した同軸ケーブルに対する締め付けを行う締付部が設けられたものとされ、該締付部に、上記導電部材が一体的に形成されていることを特徴とする請求項１記載の同軸コネクタ装置。
【請求項４】
上記導電部材が、上記グラウンドコンタクト部材のシェル部とは別体に設けられ、上記絶縁ハウジング部材に固定されていることを特徴とする請求項１記載の同軸コネクタ装置。
【請求項５】
上記導電部材の一端部が、上記グラウンドコンタクト部材の環状嵌合部が上記相手方コネクタ装置のグラウンドコンタクト部に嵌合接続されたとき、該グラウンドコンタクト部に接触接続されることを特徴とする請求項３又は４記載の同軸コネクタ装置。
【請求項６】
導電性のシグナルコンタクト部材と、導電性のグラウンドコンタクト部材と、上記シグナルコンタクト部材を保持して上記グラウンドコンタクト部材の内部に収容される絶縁性のハウジング部材と、を備え、
上記シグナルコンタクト部材は、
同軸ケーブルの中心導体に接続される接続部と、
相手方コネクタ装置のシグナルコンタクト部に接触する接触部と、を有し、
上記グラウンドコンタクト部材は、
上記接触部を収容して上記相手方コネクタ装置のグラウンドコンタクト部に嵌合する環状嵌合部と、
上記環状嵌合部の外において、上記ハウジング部材の端部と上記同軸ケーブルの端部との少なくとも一部を収容するシェル部と、
少なくとも上記ハウジング部材の端部を上記シェル部内に保持する締付部と、
上記環状嵌合部の内部と上記シェル部の内部とを連通させるように上記環状嵌合部に設けられた開口部と、
上記開口部の少なくとも一部を塞ぎ、上記環状嵌合部と共に上記接触部を囲み、上記環状嵌合部が上記相手方コネクタ装置のグラウンドコンタクト部に嵌合した状態において、上記相手方コネクタ装置のグラウンドコンタクト部に接触する第１導電部と、
上記第１導電部と上記締付部との間を経て、上記第１導電部と上記締付部とを電気的に接続する第２導電部と、を有する同軸コネクタ装置。
【請求項７】
上記第１導電部及び上記第２導電部が上記締付部に固定されている、請求項６記載の同軸コネクタ装置。
【請求項８】
上記第１導電部及び上記第２導電部が上記ハウジング部材に固定され、上記第２導電部が締付部に接触する、請求項６記載の同軸コネクタ装置。
【請求項９】
上記第１導電部及び上記第２導電部が上記環状嵌合部に固定され、上記第２導電部が上記締付部に接触する、請求項６記載の同軸コネクタ装置。
【請求項１０】
上記第１導電部が上記環状嵌合部に固定され、
上記第２導電部が上記ハウジング部材に固定され、上記第１導電部と上記締付部とに接触する、請求項６記載の同軸コネクタ装置。
【請求項１１】
上記第１導電部が上記環状嵌合部に固定され、
上記第２導電部が上記締付部に固定され、上記第１導電部に接触する、請求項６記載の同軸コネクタ装置。
【国際調査報告】
2020189221.tif 000041
2020189221.tif 000042
2020189221.tif 000043
2020189221.tif 000044